(57)【要約】      （修正有）【課題】大型化することなく、内部に液体や空気が滞留することを防止できるとともに、注入具の保持力を向上できる液体混注具を提供すること。【解決手段】液体混注具Ａを、チャンバー部１１と、チャンバー部１１にそれぞれ接続された主上流管１２、下流管および副上流管１４と、副上流管１４の開口部に取り付けられた注入部２０と、チャンバー部１１内に設けられたコック３０とで構成した。そして、注入部２０のスリット２０ａにシリンジの雄ルアー部を挿し込むことにより、シリンジから薬液を副上流管１４の内部に注入可能にした。また、薬液が主上流管からチャンバー部１１に向う方向から副上流管１４側に進んだのちに、チャンバー部１１から下流管に進むように規制する隔壁１７を、副上流管１４の内部における雄ルアー部が進退する移動領域の周囲に形成した。【選択図】図７
2010142438.tif 000002
【特許請求の範囲】
【請求項１】
チャンバー部と、前記チャンバー部にそれぞれ接続された主上流管、下流管および副上流管とを備え、前記副上流管の開口部に、注入具の抜き挿しに伴って開閉可能なスリットを備えた弾性注入部が設けられた液体混注具であって、
前記主上流管から流入する液体が前記チャンバー部に向う方向から前記副上流管側に進んだのちに、前記チャンバー部から前記下流管に進むように規制する隔壁を、前記副上流管または前記チャンバー部の内部における前記注入具の先端部が進退する移動領域の周囲に形成して、前記隔壁に前記注入具の先端部が接触しないようにしたことを特徴とする液体混注具。
【請求項２】
前記隔壁における前記移動領域に直交する断面の少なくとも前記移動領域側の縁部が凹湾曲状に形成された壁部で前記隔壁を構成した請求項１に記載の液体混注具。
【請求項３】
前記弾性注入部を、前記スリットに前記注入具を所定長さ挿し込んだときに、前記スリットの内面が変形して前記注入具の進行方向を向くことにより前記注入具を押し戻して元の状態に復元することのできない略板状の弁体で構成し、前記注入具を前記スリットに少なくとも前記所定長さ挿し込んだときに前記注入具の先端部の周囲に前記隔壁が位置するようにした請求項１または２に記載の液体混注具。
【請求項４】
前記隔壁の厚さが、前記チャンバー部側に位置する基端部から前記副上流管の開口部側に位置する先端部に近づくほど薄くなるようにした請求項１ないし３のうちのいずれか一つに記載の液体混注具。
【請求項５】
前記チャンバー部との間に液体流路を形成するとともに所定の方向に回転することにより前記チャンバー部と前記主上流管との間、前記チャンバー部と前記下流管との間および前記チャンバー部と前記副上流管との間をそれぞれ連通したり遮断したりすることのできるコックを前記チャンバー部内に設けた請求項１ないし４のうちのいずれか一つに記載の液体混注具。
【発明の詳細な説明】
【技術分野】
【０００１】
本発明は、医療に用いられる複数の輸液チューブ等に連結されて、各輸液チューブ間に薬液等の液体を流す液体混注具に関する。
【背景技術】
【０００２】
従来から、複数の輸液チューブを用いて患者の体内に所定の薬液、栄養剤、生理食塩水等を供給することが行われており、このような場合に、医療用活栓等の液体混注具を用いて、各輸液チューブ間を連通したり遮断したりすることが行われている（例えば、特許文献１参照）。この流路切換装置（液体混注具）は、円筒状の軸部保持部の外周から第１分岐部、第２分岐部および第３分岐部が立設されて、軸部保持部内の中空室から３本の分岐路が分岐連出されて装置本体が構成されている。そして、装置本体の中空室に、第１の流路と第２の流路が設けられた円柱状の軸部を有する滑動体が回転可能に設けられており、滑動体を回転することにより、３本の分岐路を切り換えることができる。
【０００３】
また、滑動体を保持する保持部には、第３の分岐路が設けられている領域に、第１、第２の流路に対応させてそれぞれ透孔が設けられている。このため、輸液は、第１の流路から一方の透孔を通過して第３の分岐路が設けられている領域に入ったのちに、他方の透孔を通過して第２の流路に流れる。また、第３の分岐路にはスリットが設けられた隔膜が取り付けられており、ルアーの先端をスリットに通して、ルアーから他の薬液を第３の分岐路が設けられている領域に混注することができる。
【０００４】
また、両端部に混注口と流出口とがそれぞれ形成されたハウジングの中間部に分岐管が形成され、ハウジングの内腔に筒状中空体が一体に設けられた液体混注具も開発されている（例えば、特許文献２参照）。この液体混注具では、ハウジングの接続部（混注口側）に摺動かつ回転可能に嵌合され鈍針を有する接続部を備えており、この接続具をハウジングの接続部に取り付けたときに、鈍針の先端部と、筒状中空体の先端部との間に、隙間が形成される。このため、分岐管からハウジングの内腔を介して流出口に流れる輸液に、混注口から薬液を注入することができる。
【特許文献１】特許第３７１９４４３号公報
【特許文献２】特開平１１−３３１２４号公報
【発明の開示】
【０００５】
しかしながら、前述した特許文献１に係る従来の流路切換装置では、二つの透孔が、第３の分岐路が形成された分岐管を塞ぐようにして設けられた壁部に設けられているため、この壁部にルアーの先端が当接しないようにするためには、隔膜と透孔との間の長さを長くする必要が生じる。この結果、第３の分岐路の空間が大きくなって液体が滞留し易くなったり、装置が大型化したりする。また、前述した特許文献２に係る従来の液体混注具では、一定の形状の鈍針を備えた接続具にしか適用できないため、ルアー接続に適した構造が望まれる。
【０００６】
本発明は、このような事情に鑑みなされたもので、その目的は、大型化することなく、内部に液体や空気が滞留することを防止できるとともに、注入具の保持力を向上できる液体混注具を提供することにある。
【０００７】
前述した目的を達成するため、本発明に係る液体混注具の構成上の特徴は、チャンバー部と、チャンバー部にそれぞれ接続された主上流管、下流管および副上流管とを備え、副上流管の開口部に、注入具の抜き挿しに伴って開閉可能なスリットを備えた弾性注入部が設けられた液体混注具であって、主上流管から流入する液体がチャンバー部に向う方向から副上流管側に進んだのちに、チャンバー部から下流管に進むように規制する隔壁を、副上流管またはチャンバー部の内部における注入具の先端部が進退する移動領域の周囲に形成して、隔壁に注入具の先端部が接触しないようにしたことにある。
【０００８】
本発明に係る液体混注具では、主上流管からチャンバー部を介して下流管に所定の液体を流すことができるとともに、副上流管からチャンバー部を介して下流管に他の液体を流すことができる。そして、主上流管からチャンバー部を介して下流管に向う液体が、直線状に流れるのではなく、副上流管またはチャンバー部の内部に隔壁を設けることにより、チャンバー部内から副上流管側に一旦流れたのちに、副上流管側からチャンバー部を介して下流管に流れるようにしている。このため、例えば、液体混注具を、副上流管側が上方になるように配置したときには、主上流管からチャンバー部を介して下流管に流れる液体は、主上流管からチャンバー部内に入るときに、一旦上方に向って流れ隔壁を乗り越えたのちにチャンバー部から下流管に流れていく。
【０００９】
この結果、液体は、副上流管内の空間の上部側を通過して流れるようになり、副上流管やチャンバー部の内部に空気が滞留することがなくなるとともに、液体の流路に沿って流れずに副上流管やチャンバー部の内部に滞留する液体もなくなる。これにより、滞留した空気を除去するために面倒な操作をする必要がなくなるとともに、副上流管やチャンバー部の内部に菌が発生することを抑制することができる。また、隔壁が、副上流管やチャンバー部の内部における注入具の先端部が進退する移動領域の周囲に形成されている、すなわち、隔壁を移動領域に位置する注入具の先端部と離間するように形成しているため、注入具から他の液体を副上流管やまたはチャンバー部の内部に注入する場合に、注入具を弾性注入部のスリットに深く挿し込んでも注入具の先端が隔壁に当接することはない。
【００１０】
このため、隔壁を設けるためにチャンバー部や副上流管を大型化する必要はなくなる。また、弾性注入部が注入具を保持する力を向上することができる。この場合、他の液体は、副上流管またはチャンバー部の内部で主上流管から供給される所定の液体と混合させてもよいし、他の液体だけを副上流管やチャンバー部を介して下流管に流してもよい。なお、他の液体とは、主上流管側から供給される液体ではないという意味で、主上流管から供給される液体と同種類の液体であってもよい。また、弾性注入部としては、例えば、スリットを備えたゴム製の栓で構成することができる。これによると、他の液体の供給が終わり注入具を弾性注入部から抜いたときには、弾性注入部は復元力によってスリットが閉塞された元の形状に戻るため副上流管は閉塞される。
【００１１】
また、弾性注入部として、ゴム以外の材料からなる部材を用いる場合にも、ゴムと同様の作用によりスリットを開閉できるものを用いる。さらに、チャンバー部内を空間の広い部分と空間の狭い部分とに区切るようにして隔壁を設けるとともに、空間の広い方を上流側に配置し、空間の狭い方を下流側に配置することが好ましい。これによると、チャンバー部内を流れる液体が、空間の広い方を満たして、隔壁を越えて空間の狭い方に流れるため、チャンバー部内に空気や液体が滞留することをより確実に防止できる。
【００１２】
また、本発明に係る液体混注具の他の構成上の特徴は、隔壁における移動領域に直交する断面の少なくとも移動領域側の縁部が凹湾曲状に形成された壁部で隔壁を構成したことにある。これによると、弾性注入部のスリットを挿通して副上流管またはチャンバー部の内部に位置する注入具の先端部の周囲の一方に、注入具の外周面に沿うようにして隔壁が位置するようになる。このため、弾性注入部のスリットを挿通する注入具の先端部と隔壁とを接近させることができ、これによって、副上流管またはチャンバー部のデッドスペースを最小限にすることができる。この場合のデッドスペースとは、液体や空気が滞留し易い空間をいう。
【００１３】
また、本発明に係る液体混注具のさらに他の構成上の特徴は、弾性注入部を、スリットに注入具を所定長さ挿し込んだときに、スリットの内面が変形して注入具の進行方向を向くことにより注入具を押し戻して元の状態に復元することのできない略板状の弁体で構成し、注入具をスリットに少なくとも所定長さ挿し込んだときに注入具の先端部の周囲に隔壁が位置するようにしたことにある。
【００１４】
スリットの内面、すなわち対向する切断面が変形して注入具の進行方向を向くことにより注入具を押し戻して元の状態に復元することのできない状態とは、弾性注入部のスリット近傍部分の湾曲が大きくなって、その復元力が注入具を押し戻す方向よりも注入具を締め付ける方向に向いた状態である。この場合、弾性注入部のスリットに挿し込まれた注入具は安定した状態に保持されており、この状態で注入具から副上流管またはチャンバー部に他の液体が注入される。したがって、このときの注入具の先端部の周囲に隔壁が位置するようにすることにより、隔壁の高さ方向と、注入具の軸方向とに重なる部分を設けることができ、チャンバー部や副上流管に無駄な空間が生じなくなる。なお、本発明における所定長さは、注入具の外周面先端部が弾性注入部の外面とスリットの内面との角部を通過したときの挿入長さとする。
【００１５】
また、本発明に係る液体混注具のさらに他の構成上の特徴は、隔壁の厚さが、チャンバー部側に位置する基端部から副上流管の開口部側に位置する先端部に近づくほど薄くなるようにしたことにある。この場合、例えば、隔壁の外面を注入具が進退する移動領域に平行させ、隔壁の内面を外面に対して傾斜させることにより、隔壁の先端部側を薄くすることが好ましい。これによると、隔壁の強度を維持しながら注入具に対向する部分を薄肉にすることができる。また、隔壁の下部側に直角の隅が形成される部分を減少することができるため、空気や液体が滞留する可能性が生じる部分をさらに少なくすることができる。
【００１６】
また、本発明に係る液体混注具のさらに他の構成上の特徴は、チャンバー部との間に液体流路を形成するとともに所定の方向に回転することによりチャンバー部と主上流管との間、チャンバー部と下流管との間およびチャンバー部と副上流管との間をそれぞれ連通したり遮断したりすることのできるコックをチャンバー部内に設けたことにある。これによると、液体混注具が備える各分岐管間の連通、遮断の状態を任意に切り換えることができる。
【発明を実施するための最良の形態】
【００１７】
（第１実施形態）
以下、本発明の第１実施形態に係る液体混注具を図面を用いて詳しく説明する。図１ないし図６は、同実施形態に係る液体混注具Ａを示しており、この液体混注具Ａは、混注具本体１０、キャップ部２１を介して混注具本体１０に取り付けられた本発明に係る弾性注入部としての注入部２０およびコック３０で構成されている。そして、混注具本体１０は、軸方向を前後に向けて配置された略円筒状のチャンバー部１１（以下、図３を正面とし、上下方向および左右方向は図３を基準にして説明する。）と、チャンバー部１１の左右両側に１８０度の角度を保って略同軸に沿って延びる主上流管１２および下流管１３と、主上流管１２と下流管１３とに対して直交してチャンバー部１１の上部に設けられた副上流管１４とで構成されている。
【００１８】
チャンバー部１１の軸方向の略中央には、円周に沿って９０度間隔で三つの連通穴１２ａ，１４ａ（図７参照）等（残り一つの連通穴は図示せず。）が形成されており、これらの連通穴１２ａ，１４ａ等にそれぞれ主上流管１２、副上流管１４および下流管１３の内部が連通している。副上流管１４とチャンバー部１１とを連通する連通穴１４ａの直径は、他の連通穴１２ａ等の直径よりも大きく設定されている。また、図７に示したように、チャンバー部１１と副上流管１４とを連通する連通穴１４ａから副上流管１４の軸方向の略中央にかけての部分の内周面における左右両側（図７では紙面の表側から裏側にかけての部分）には主上流管１２から下流管１３に向う流路を前後に仕切る肉厚の仕切り壁１６が掛け渡された状態で形成されている。
【００１９】
仕切り壁１６は、副上流管１４の下部側部分に設けられており、副上流管１４の内周面における前部と後部とに対して間隔を保った状態で、内周面の左右部分に連結されている。仕切り壁１６の前面における幅方向の中央側部分は前方に向って突出した円弧状の垂直曲面に形成され、仕切り壁１６の後面における幅方向の中央側部分は平面状の垂直面に形成されている。そして、仕切り壁１６の上面における前部には、上方に延びる隔壁１７が形成されている。隔壁１７は、仕切り壁１６の上面における前縁部に沿って形成されており、図８に示した平面視で左右部分が左右に延びる直線状に形成され、中央部分が前方に向って突出した円弧状に形成されている。
【００２０】
このため、主上流管１２から下流管１３に流れる液体は、主上流管１２の内部から連通穴１２ａを介してチャンバー部１１の後部側に流れたのちに副上流管１４の後部側を仕切り壁１６の後面に沿って上方に流れる。さらに、その液体は、仕切り壁１６の上面を隔壁１７の後面に沿って上昇する。そして、液体は、隔壁１７の上面を通って副上流管１４の前部側を仕切り壁１６の前面に沿って下方に流れたのちにチャンバー部１１の内部に流れ、チャンバー部１１の内部から図示していない連通穴を介して下流管１３内に流れる。
【００２１】
すなわち、仕切り壁１６の下面から後面、上面および隔壁１７の後面にかけての部分は連通穴１２ａからチャンバー部１１内を通って副上流管１４に延びる流路の一方の面を構成し、隔壁１７の前面から仕切り壁１６の前面にかけての部分は副上流管１４内からチャンバー部１１内を通って図示していない連通穴に延びる流路の一方の面を構成している。また、主上流管１２は、チャンバー部１１と一体的に形成されており、主上流管１２の開口側部分は、外周面に連結用のねじ部が形成された雌コネクタ部１２ｂで構成されている。
【００２２】
下流管１３は、チャンバー部１１と一体的に形成されており、チャンバー部１１側の基端部１３ａと、基端部１３ａよりも細く形成された先端側の雄ルアー部１３ｂとで構成されている。また、雄ルアー部１３ｂは基端部１３ａ側部分よりも先端側部分の方が細くなった先細り状に形成されている。副上流管１４は、チャンバー部１１の上部に設けられた円筒部で構成されており、外周面における上端側部分の左右に係合突起１４ｂ，１４ｃが形成されている。そして、この副上流管１４の上端外周面には、副上流管１４とでゴム製注入部２０を固定するためのキャップ部２１が係合突起１４ｂ，１４ｃを介して取り付けられている。
【００２３】
注入部２０は、天然ゴム、合成ゴムまたはエラストマーなどの伸縮性を備えた円板状の弾性部材からなっており、その中央部分に上下に貫通するスリット２０ａが設けられている。このスリット２０ａは、注入部２０の中心点を通る直線状に形成されており、注入部２０の外周側部分を除いた部分に形成されている。また、キャップ部２１は、中央に円形の穴部からなる混注口２１ａが形成された浅い円形キャップ状の本体２１ｂの下縁部における左右に枠状の被係合部２２ａ，２２ｂを形成した形状の部材で構成されており、被係合部２２ａ，２２ｂを副上流管１４の係合突起１４ｂ，１４ｃに係合させることにより、副上流管１４に着脱可能に取り付けられている。
【００２４】
そして、注入部２０をキャップ部２１の内部（下面側）に取り付け、その状態のキャップ部２１を副上流管１４の上端面に被せて、キャップ部２１の被係合部２２ａ，２２ｂを副上流管１４の係合突起１４ｂ，１４ｃに係合させることにより、注入部２０はキャップ部２１を介して副上流管１４の上端開口に固定される。副上流管１４の上端開口に固定された注入部２０のスリット２０ａは、副上流管１４から薬液等の液体（以下、薬液と記す。）をチャンバー部１１側に注入しない時には、注入部２０の弾性によって閉塞された状態になる。
【００２５】
また、副上流管から薬液を注入する時には、注入部２０のスリット２０ａに、例えば、本発明に係る注入具としてのシリンジ２５の雄ルアー部２５ａ（図９参照）を差し込むことによりシリンジ２５の薬液収容部２５ｂと副上流管１４とを連通することができる。その際、雄ルアー部２５ａと注入部２０との間は、注入部２０の弾性によって密着状態になる。この場合、図１０に示したように、スリット２０ａの内面（両切断面）が下方に向くように、注入部２０が変形し、このときに、雄ルアー部２５ａの下端部がスリット２０ａの縁部よりも下方に位置していると、注入部２０が雄ルアー部２５ａを押し戻すことができず、シリンジ２５はその状態を維持する。
【００２６】
チャンバー部１１の後部開口は、図７に示したように、蓋部材１５で閉塞されている。蓋部材１５は、前端面が閉塞され、前部側よりも後部側の方がやや大径になった段付き円筒体１５ａの後部開口の周縁部に外部側に突出するフランジ状の係止部１５ｂを設けた形状に形成されている。係止部１５ｂの外径はチャンバー部１１の外径と略等しくなり、段付き円筒体１５ａの大径部分の外径はチャンバー部１１の内径よりもやや小さくなっている。そして、段付き円筒体１５ａの小径部分の外径は大径部分の外径よりもやや小さくなり、段付き円筒体１５ａの外周面とチャンバー部１１の内周面との間には、コック３０の後端部が摺動可能に挿入されている。
【００２７】
コック３０は、図１１に示したように、略円筒状のコック本体３１と、コック本体３１の前端部に連結された操作部３２とで構成されている。そして、コック本体３１は、先端部（後端部）をチャンバー部１１の内周面と蓋部材１５の段付き円筒体１５ａの外周面との間に挿し込んだ状態でチャンバー部１１内に設置されており、操作部３２を回転操作することによりチャンバー部１１の軸周り方向に回転する。また、コック本体３１の外周面には、二つの溝部３３，３４が軸方向に並んで形成されている。溝部３３は、コック本体３１の外周面における軸方向の中心よりもやや後部側の部分で円周に沿って略半周にわたって延びる凹部で構成されている。
【００２８】
溝部３４は、コック本体３１の外周面における軸方向の中心よりもやや前部側の部分で溝部３３と平行してコック本体３１の外周面に沿って延びる周方向溝部３４ａと、周方向溝部３４ａの一方の端部から屈曲して軸方向の後部側に向って延びる軸方向溝部３４ｂとからなる略Ｌ字状の凹部で構成されている。溝部３４の軸方向溝部３４ｂは、溝部３３の一方の端部と所定間隔を保った位置に設けられており、溝部３４の周方向溝部３４ａの他方の端部は、溝部３３の他方の端部よりも円周方向に沿った一方側（図１１における手前側）に位置している。
【００２９】
溝部３３と溝部３４とのコック本体３１の円周方向に沿った長さはともに円周の略半周で等しく設定されており、溝部３３と溝部３４の周方向溝部３４ａとの間隔および溝部３３と溝部３４の軸方向溝部３４ｂとの間隔は略等しく設定されている。そして、溝部３３と溝部３４の周方向溝部３４ａとの間には、コック本体３１の外周面に沿った堰部３５が形成されている。また、チャンバー部１１内に設置されたコック本体３１は、外周面における溝部３３および溝部３４の軸方向溝部３４ｂが形成された部分を、チャンバー部１１と主上流管１２との連通穴１２ａおよびチャンバー部１１と下流管１３との連通穴の位置に合わせ、溝部３４の周方向溝部３４ａをチャンバー部１１の内周面における前部側部分に対向させて閉塞した状態になる。
【００３０】
また、コック本体３１の外周面における堰部３５が形成された部分は、チャンバー部１１の内周面における仕切り壁１６の下面前端側部分に接した状態になる。このため、図７に示したように、堰部３５が上方に向くようにコック本体３１を回転したときには、溝部３３が主上流管１２（図７の後方側に位置する。）の内部と対向してチャンバー部１１と主上流管１２とは溝部３３を介して連通する。また、溝部３４における軸方向溝部３４ｂの後部側（図示していないが、図７では溝部３３の手前側に位置する。）が下流管１３の内部と対向してチャンバー部１１と下流管１３とは溝部３４を介して連通する。
【００３１】
この場合、堰部３５の上方には、仕切り壁１６が位置して、堰部３５の上面と仕切り壁１６の下面とは略密着状態で接触する。そして、仕切り壁１６の上方には、副上流管１４内の空間部が位置しているため、溝部３３と溝部３４とは副上流管１４の内部を介して連通する。したがって、この状態では、主上流管１２からチャンバー部１１および副上流管１４を介して下流管１３に薬液を流すことができる。この場合、図１１に矢印ａで示したように、主上流管１２から溝部３３内に流れてくる薬液は、上方の仕切り壁１６と隔壁１７（矢印ａの上部の部分に位置する）とを乗り越えて溝部３４に流れていく。
【００３２】
このとき、仕切り壁１６の上面に形成された隔壁１７は、副上流管１４内の上部側まで延びているため、薬液は副上流管１４内の上方の空間内を後部側の空間の広い部分から前部側の空間の狭い部分に迂回して通過するようになり、チャンバー部１１や副上流管１４の内部に空気や薬液の一部が滞留することを抑制できる。その状態からコック３０を一方に回転させて、溝部３３を下流管１３の内部に向けるとともに、コック本体３１の外周面を主上流管１２の内部に向けたときには、チャンバー部１１内と下流管１３との間は連通し、チャンバー部１１内と主上流管１２との間は遮断される。
【００３３】
また、図７の状態から、コック３０を他方に回転させて、溝部３３の一方の端部側部分を主上流管１２の内部に向けて連通状態を維持するとともに、コック本体３１の外周面を下流管１３の内部に向けたときには、チャンバー部１１内と下流管１３との間は遮断され、チャンバー部１１内と主上流管１２との間は連通する。このように、コック３０を回転操作することにより、主上流管１２と下流管１３との双方をチャンバー部１１に連通したり、一方だけをチャンバー部１１に連通したりすることができる。
【００３４】
なお、操作部３２は、３個の操作片３２ａ，３２ｂ，３２ｃを備えており、この操作片３２ａ，３２ｂ，３２ｃは、それぞれ主上流管１２、副上流管１４および下流管１３に対応するように、９０度の角度を保って形成されている。すなわち、図３のように、操作片３２ａが主上流管１２を、操作片３２ｂが副上流管１４を、操作片３２ｃが下流管１３をそれぞれ指す位置にあるときには、主上流管１２、副上流管１４および下流管１３のすべてがチャンバー部１１を介して連通した状態になる。
【００３５】
また、図３の状態から、操作部３２を時計周り方向に９０度回転して、操作片３２ｂが主上流管１２を指し、操作片３２ｃが副上流管１４を指す位置になったときには、主上流管１２と副上流管１４とが連通し、副上流管１４と下流管１３との間は遮断された状態になる。さらに、図３の状態から、操作部３２を反時計周り方向に９０度回転して、操作片３２ａが副上流管１４を指し、操作片３２ｂが下流管１３を指す位置になったときには、副上流管１４と下流管１３とが連通し、主上流管１２と副上流管１４との間は遮断された状態になる。
【００３６】
また、前述したように、副上流管１４には注入部２０を介して、シリンジ２５を着脱可能に取り付けることができる。このシリンジ２５は、薬液を収容する薬液収容部２５ｂと細径円筒状の雄ルアー部２５ａとを備えており、雄ルアー部２５ａを、注入部２０のスリット２０ａ内に差し込むことにより薬液収容部２５ｂの内部と副上流管１４の内部とを連通させることができる。この雄ルアー部２５ａを、注入部２０のスリット２０ａ内に挿し込んでいくときに、雄ルアー部２５ａは、注入部２０を副上流管１４の内部側に押し付けて移動させながらスリット２０ａを広げていく。
【００３７】
これによって、注入部２０のスリット２０ａの近傍部分は、雄ルアー部２５ａの押圧力によって副上流管１４の内部側に押さえ付けられて、雄ルアー部２５ａに密着した状態で下降していく。そして、雄ルアー部２５ａがスリット２０ａ内に所定長さ挿入されて適正状態になったときには、図１０のように、注入部２０の下端部は隔壁１７に接近した状態になる。この状態では、注入部２０が雄ルアー部２５ａを押し戻そうとする力が弱まり、雄ルアー部２５ａはその状態を維持する。また、副上流管１４の内周面と注入部２０との間および雄ルアー部２５ａとスリット２０ａの周縁部との間は、注入部２０の弾性によって密着状態になる。
【００３８】
そして、雄ルアー部２５ａの先端部は、隔壁１７の内面側で隔壁１７に接近した状態になる。このため、主上流管１２と下流管１３とを連通させて主上流管１２側から下流管１３側に向けて薬液を流しながら、その薬液にシリンジ２５から注入される他の薬液を混合することができる。また、チャンバー部１１内と主上流管１２との間を遮断した状態で、シリンジ２５から下流管１３に他の薬液を流すこともできる。
【００３９】
この構成において、２種類の薬液を患者（図示せず）の体内に供給する場合には、まず下流管１３に、患者に穿刺して留置するための留置針が接続された輸液チューブ（図示せず）の後端部を接続する。ついで、主上流管１２に、患者に供給する一方の薬液を収容する容器等から延びる輸液チューブの先端部に設けられた雄ルアー部を接続する。つぎに、シリンジ２５の薬液収容部２５ｂ内に他方の薬液を吸引した状態で、雄ルアー部２５ａを注入部２０のスリット２０ａに貫通させる。
【００４０】
そして、一方の薬液をチャンバー部１１を含む輸液ライン内に通して、輸液ライン内の空気をすべて外部に放出したのちに、留置針を患者の体に穿刺して留置した状態で容器等の薬液を患者に向けて送り出すことにより患者への薬液の供給を行う。また、シリンジ２５の薬液収容部２５ｂ内の他方の薬液も、適宜、副上流管１４を介してチャンバー部１１内に注入する。この場合、雄ルアー部２５ａとスリット２０ａの内面との間は、密着状態になる。また、注入部２０の下面が隔壁１７の上端部に接近し、雄ルアー部２５ａの先端部は、隔壁１７の内面側に位置するため、副上流管１４の内部には僅かな空間しかできず、チャンバー部１１や副上流管１４の内部には、空気や薬液の一部が滞留する場所が生じ難くなる。
【００４１】
すなわち、チャンバー部１１と副上流管１４との内部の空間部はすべて薬液の流路になるため空気が溜まり難くなる。これによって、患者に供給される薬液に空気が混入することが抑制される。また、チャンバー部１１と副上流管１４との内部に薬液の一部が滞留することもなくなる。そして、シリンジ２５からの薬液の供給が終わり、雄ルアー部２５ａをスリット２０ａから引き抜くときには、注入部２０は雄ルアー部２５ａによる押圧から解放され、復元力によって元の状態に戻る。また、この液体混注具Ａによると、副上流管１４に取り付けられたキャップ部２１内を注入部２０で閉塞したため、副上流管１４の開口から副上流管１４内に空気が入って菌が繁殖することも抑制できる。
【００４２】
このように、本実施形態に係る液体混注具Ａでは、チャンバー部１１の上部に位置する副上流管１４内に仕切り壁１６および隔壁１７を設けることにより、主上流管１２から流れてくる薬液が、チャンバー部１１の一方側から副上流管１４内に一旦流れたのちに、副上流管１４からチャンバー部１１の他方側を介して下流管１３に流れるようにしている。このため、薬液は、チャンバー部１１内だけでなく、副上流管１４内も通過して流れるようになり、チャンバー部１１や副上流管１４の内部に空気が滞留することがなくなるとともに、流れずにチャンバー部１１や副上流管１４内に滞留する薬液もなくなる。
【００４３】
この場合、薬液は、チャンバー部１１から副上流管１４内における隔壁１７の後部側の空間の広い部分に入り隔壁１７を越えたのちに隔壁１７の前部側の空間の狭い部分に流れるためチャンバー部１１内に空気や液体が滞留することをより確実に防止できる。これにより、滞留した空気を除去するために面倒な操作をする必要がなくなるとともに、チャンバー部１１や副上流管１４の内部に菌が発生することを抑制することができる。また、隔壁１７が、副上流管１４内における雄ルアー部２５ａが進退する移動領域の周囲に形成されているため、雄ルアー部２５ａから他の薬液を副上流管１４を介してチャンバー部１１内に注入する場合に、雄ルアー部２５ａを注入部２０のスリット２０ａに深く挿し込んでも雄ルアー部２５ａの先端が隔壁１７に当接することはない。このため、隔壁１７を設けるためにチャンバー部１１や副上流管１４を大型化する必要はなくなる。
【００４４】
また、隔壁１７の中央部の平面視による形状が内面側が凹部になった湾曲状になっているため、注入部２０のスリット２０ａを挿通して副上流管１４内に位置する雄ルアー部２５ａの先端部の周囲に沿うようにして隔壁１７が位置するようになる。このため、注入部２０のスリット２０ａを挿通する雄ルアー部２５ａの先端部と隔壁１７とを接近させることができ、これによって、副上流管１４内のデッドスペースを最小限にすることができる。さらに、チャンバー部１１内にコック３０を設けたため、液体混注具Ａが備える主上流管１２、下流管１３および副上流管１４間の連通、遮断の状態を任意に切り換えることができる。
【００４５】
（第２実施形態）
図１２は、本発明の第２実施形態に係る液体混注具Ｂを示している。この液体混注具Ｂでは、仕切り壁４６の上面に形成された隔壁４７の内面が傾斜面に形成されて、隔壁４７の厚みは仕切り壁４６側から上端側に行くほど徐々に薄くなっている。この液体混注具Ｂのそれ以外の部分の構成については、前述した液体混注具Ａと同一である。したがって、同一部分に同一符号を記して説明は省略する。
【００４６】
この液体混注具Ｂによると、隔壁４７の強度を維持しながら雄ルアー部２５ａに対向する部分を薄肉にすることができる。このため、雄ルアー部２５ａを副上流管１４の上下方向の中央よりも下方まで挿入することができるようになる。また、隔壁４７を、雄ルアー部２５ａの移動領域にさらに近づけて、その分、液体混注具Ｂを小型化することもできる。さらに、仕切り壁４６と隔壁４７とに挟まれる角（隅部）が鈍角になるため、この部分に空気（気泡）や薬液が滞留しにくくなる。この液体混注具Ｂのそれ以外の作用効果は、前述した液体混注具Ａの作用効果と同様である。
【００４７】
（第３実施形態）
図１３は、本発明の第３実施形態に係る液体混注具Ｃの要部である本体部分を上方から見た状態を示している。この液体混注具Ｃの本体は、軸方向を上下に向けて配置された略円筒状のチャンバー部５１（図１３では、底部内面を示している。）と、チャンバー部５１の左右両側に１８０度の角度を保って略同軸に沿って延びる主上流管５２および下流管５３と、主上流管５２と下流管５３とに対して直交してチャンバー部５１の上部に設けられチャンバー部５１よりも大径に形成された円筒状の副上流管５４とで構成されている。すなわち、この液体混注具Ｃは、コックおよび仕切り壁は備えてなく、チャンバー部５１の底部に隔壁５７が形成されている。
【００４８】
隔壁５７は、チャンバー部５１内における下流管５３側部分に、チャンバー部５１の内周面における左側部分に対して間隔を保った状態で、内周面の前後部分に連結されている。また、隔壁５７は、図１３に示した平面視で前後部分が前後に延びる直線状に形成され、中央部分が下流管５３側に向って突出した円弧状に形成されている。このため、主上流管５２から下流管５３に流れる薬液は、主上流管５２の内部からチャンバー部５１の空間の広い右側部分の上方に流れたのちに、隔壁５７の上面を通ってチャンバー部５１の空間の狭い左側部分に流れ、チャンバー部５１の左側下方から下流管５３内に流れる。この液体混注具Ｃのそれ以外の部分の構成については、前述した液体混注具Ａと同一である。したがって、同一部分に同一符号を記して説明は省略する。
【００４９】
この液体混注具Ｃによると、主上流管５２からチャンバー部５１を介して下流管５３側に供給する薬液に、副上流管５４側から他の薬液を混合することができる。なお、この液体混注具Ｃは、コックを備えていないため、主上流管５２、下流管５３および副上流管５４間の連通、遮断の状態を切り換えることはできない。この液体混注具Ｃのそれ以外の作用効果は、前述した液体混注具Ａの作用効果と同様である。
【００５０】
また、本発明に係る液体混注具は、前述した実施形態に限定するものでなく、適宜変更実施が可能である。前述した各実施形態では、副上流管１４，５４を円筒状に形成し、その副上流管１４，５４の円周に沿うようにして、隔壁１７，４７，５７を設けているが、副上流管や隔壁の形状はこれに限るものでなく適宜変更することができる。例えば、副上流管の断面形状を、一方側が前述した副上流管１４，５４よりも直径の小さな半円状の部分で構成され、他方側が半楕円状の部分で構成された形状にし、その半楕円状部分の外周側に隔壁を設けることができる。また、隔壁の形状も円弧状に限らず、平面状であってもよいし、円弧状以外の曲面状にしてもよい。
【図面の簡単な説明】
【００５１】
【図１】本発明の第１実施形態に係る液体混注具を示した斜視図である。
【図２】液体混注具の平面図である。
【図３】液体混注具の正面図である。
【図４】液体混注具の背面図である。
【図５】液体混注具の右側面図である。
【図６】液体混注具の左側面図である。
【図７】液体混注具の断面図である。
【図８】混注具本体を示した平面図である。
【図９】液体混注具にシリンジを挿し込んだ状態を示した正面図である。
【図１０】シリンジの雄ルアー部を注入部のスリットに挿し込んだ状態を示した断面図である。
【図１１】コックを示した斜視図である。
【図１２】第２実施形態に係る液体混注具を示した断面図である。
【図１３】第３実施形態に係る液体混注具の本体を示した平面図である。
【符号の説明】
【００５２】
Ａ，Ｂ，Ｃ…液体混注具、１１，５１…チャンバー部、１２，５２…主上流管、１３，５３…下流管、１４，５４…副上流管、１７，４７，５７…隔壁、２０…注入部、２０ａ…スリット、２５…シリンジ、２５ａ…雄ルアー部、３０…コック。
【図１】
2010142438.tif 000003
【図２】
2010142438.tif 000004
【図３】
2010142438.tif 000005
【図４】
2010142438.tif 000006
【図５】
2010142438.tif 000007
【図６】
2010142438.tif 000008
【図７】
2010142438.tif 000009
【図８】
2010142438.tif 000010
【図９】
2010142438.tif 000011
【図１０】
2010142438.tif 000012
【図１１】
2010142438.tif 000013
【図１２】
2010142438.tif 000014
【図１３】
2010142438.tif 000015